(57)【要約】【課題】  集金者と対面することなく、支払い決済を行うことを可能とする、ＩＣカード決済システムを提供する。【解決手段】  建物のインターホン等に設置されたＩＣカードを設置し、ＩＣカードと当該ＩＣカードにアクセスする人との間で所定料金が決済可能なように、ＩＣカードのステータスを設定する制御部を設ける。更に制御部に対し、ＩＣカードを用いた決済の許可する決済許可部を設ける。【選択図】  図１
2006251874.tif 000002
【特許請求の範囲】
【請求項１】
建物において、人がアクセス可能な位置に設置されたＩＣカードと、
前記ＩＣカードと当該ＩＣカードにアクセスする人との間で所定料金が決済可能なように、前記ＩＣカードのステータスを設定する制御部と、
前記制御部に対し、前記ＩＣカードを用いた決済の許可をする決済許可部と、を備えるＩＣカード決済システム。
【請求項２】
請求項１記載のＩＣカード決済システムであって、
前記ＩＣカードにアクセスする人が、当該ＩＣカードへのアクセスが許可された旨を示すための認証情報を入力する認証情報入力部と、
前記認証情報入力部に入力された認証情報に基づき前記人を認証し、前記制御部に対し、前記ＩＣカードと当該ＩＣカードにアクセスする人との間で所定料金が決済可能なように、前記ＩＣカードのステータスを設定する旨を指示する認証部と、を更に備える、ＩＣカード決済システム。
【請求項３】
請求項２記載のＩＣカード決済システムであって、
前記認証情報が、前記ＩＣカードにアクセスする人の暗証番号、パスワード又はバイオメトリクス認証情報の少なくともいずれか一つである、ＩＣカード決済システム。
【請求項４】
請求項２記載のＩＣカード決済システムであって、
前記認証情報が、前記ＩＣカードにアクセスする人が所有するリーダライタにより与えられる、ＩＣカード決済システム。
【請求項５】
請求項２ないし４のいずれか１項記載のＩＣカード決済システムであって、
前記ＩＣカード及び前記認証情報入力部が、前記建物のインターホン又はドアに配置された、ＩＣカード決済システム。
【請求項６】
請求項２ないし５のいずれか１項記載のＩＣカード決済システムであって、
前記制御部、前記認証部及び前記決済許可部が、所定の指令を発行する所定の通信機器と接続された、ＩＣカード決済システム。
【請求項７】
請求項６記載のＩＣカード決済システムであって、
前記所定の通信機器が前記建物の内側に存在する電話であり、前記決済許可部が前記所定の指令である決済許可を含む前記電話との通話の内容を解析する通話解析部より構成される、ＩＣカード決済システム。
【請求項８】
請求項２ないし５のいずれか１項記載のＩＣカード決済システムであって、
前記決済許可部が、前記建物の内側にいる人により、決済許可のための所定の入力を行うことができる設定入力部より構成され、
前記制御部及び前記認証部も前記設定入力部より操作可能に構成されている、ＩＣカード決済システム。
【請求項９】
請求項８記載のＩＣカード決済システムであって、
前記ＩＣカードが前記建物のインターホンに配置され、
前記設定入力部が、当該インターホンの建物内側端末より構成されている、ＩＣカード決済システム。
【請求項１０】
請求項９記載のＩＣカード決済システムであって、
前記建物内側端末が、ＩＣチップ搭載の通信デバイスと通信可能に構成された、ＩＣカード決済システム。
【発明の詳細な説明】
【技術分野】
【０００１】
本発明は、ＩＣカードを用いた決済システムに関し、集金者と直接対面することなく、決済を済ませることを可能とする、ＩＣカード決済システムに関する。
【背景技術】
【０００２】
ＩＣカード、ＰＯＳレジスタ等を用いた種々のロッカシステム、通信システム、電子決済システム等が提供されている。このようなシステムには、ＩＣカード、ＰＯＳレジスタ等に保存された認証情報を利用して、宅配荷物を収納したロッカの施錠及び開錠を行うものや、荷物配送の決済を行うものが存在する。
【０００３】
例えば、特許文献１は、配送商品の収納保管用のボックスロッカーをマンションなどの玄関または駅構内に設置し、ボックスロッカー付近にＩＣカードのカードリーダー等を有するポータルポストステーションを設置した、配送システムを提案している。このポータルポストステーションを操作することにより、ボックスロッカーが開かれる構成となっている。このシステムにより、顧客側および配送側の双方にとって都合の良い商品の受け取りや配送を実現することを目的としている。
【０００４】
また、特許文献２は、宅配決済システムを開示している。このシステムにおいて、宅配ボックスには、配送業者により配送先部屋番号と配送荷物のコードが入力され、配送先部屋番号を表示し、さらに開錠条件として配送荷物のコードと代金の支払い終了コードをメモリに設定した後、配送荷物が入れられたロッカを施錠する。
【０００５】
そして、不在票には配送業者名簿と配送荷物のコードがバーコードとして印刷され、ＰＯＳレジスタが荷物受取人による不在票を用いた決済処理を受け付けた時、配送業者のコンピューターとの間で決済処理を行い、配送荷物のコードを示すバーコードと代金支払済みを示すバーコードを印刷したレシートを発行する。宅配ボックスは、レシートのバーコードをバーコード読み取り手段により結果がメモリに設定された開錠条件と一致する時開錠する。このシステムにより、着払いもしくは代引き指定の荷物の配送時において、受取人が不在であっても、宅配ボックスに荷物を保管して配達人による集金を不要にすることを目的としている。
【０００６】
【特許文献１】特開２００２−２９１６０７号公報
【特許文献２】特開２００４−７８６３０号公報
【発明の開示】
【発明が解決しようとする課題】
【０００７】
しかしながら、上述した如き従来のシステムを使用した場合であっても、新聞料金、テレビ受信料金等の集金者が家に集金に来た際、住人が不在の場合料金を支払うことができない。また、住人が在宅であっても外に出られない状況にある場合（病気で寝込んでいる場合など）、料金を支払うことができない。
【０００８】
本発明は、集金者と対面することなく、支払い決済を行うことを可能とする、ＩＣカード決済システムを提供する。
【課題を解決するための手段】
【０００９】
本発明のＩＣカード決済システムは、建物において、人がアクセス可能な位置に設置されたＩＣカードと、前記ＩＣカードと当該ＩＣカードにアクセスする人との間で所定料金が決済可能なように、前記ＩＣカードのステータスを設定する制御部と、前記制御部に対し、前記ＩＣカードを用いた決済の許可をする決済許可部とを備える。
【００１０】
上記システムによれば、集金者等決済を行いたい人が、ＩＣカードにアクセスすることにより決済を行うことを可能とする。従って、建物の居住者が、集金者等と対面しない状態の決済を可能とし、決済手続きをスムーズなものとし得る。
【００１１】
また、前記ＩＣカードにアクセスする人が、当該ＩＣカードへのアクセスが許可された旨を示すための認証情報を入力する認証情報入力部と、前記認証情報入力部に入力された認証情報に基づき前記人を認証し、前記制御部に対し、前記ＩＣカードと当該ＩＣカードにアクセスする人との間で所定料金が決済可能なように、前記ＩＣカードのステータスを設定する旨を指示する認証部とを更に設けることができる。
【００１２】
上記構成によれば、集金者等がＩＣカードにアクセスする権限を有するものであるか否か確認することができるので、安全性の高いシステムが提供される。
【００１３】
また、前記認証情報として、前記ＩＣカードにアクセスする人の暗証番号、パスワード又はバイオメトリクス認証情報の少なくともいずれか一つを用いることができる。また、前記認証情報が、前記ＩＣカードにアクセスする人が所有するリーダライタにより与えられるものであってもよい。さらに、前記ＩＣカード及び前記認証情報入力部を、前記建物のインターホン又はドアに配置することができる。
【００１４】
さらに、前記制御部、前記認証部及び前記決済許可部を、所定の指令を発行する所定の通信機器と接続することができる。この通信機器に前記建物の内側に存在する電話を用い、前記決済許可部を、前記所定の指令である決済許可を含む前記電話との通話の内容を解析する通話解析部より構成することができる。
【００１５】
上記構成によれば、家の外部から所定の通信機器を通じてシステムを操作することが可能となるため、ＩＣカード所有者等が家に不在であっても、決済を行うことができる。
【００１６】
また、前記決済許可部を、前記建物の内側にいる人により、決済許可のための所定の入力を行うことができる設定入力部より構成し、前記制御部及び前記認証部も前記設定入力部より操作可能に構成することができる。
【００１７】
上記構成によれば、ＩＣカード所有者等が在宅中でにもかかわらず外に出ることができない、又は出ることを欲しない状況においても、決済を行うことができる。
【００１８】
また、前記ＩＣカードを前記建物のインターホンに配置し、前記設定入力部を、当該インターホンの建物内側端末より構成することもできる。この場合、前記建物内側端末を、ＩＣチップ搭載の通信デバイスと通信可能に構成することができる。
【発明の効果】
【００１９】
本発明によれば、建物の住人やＩＣカード所有者等、決済の片方当事者が、不在時や家から外に出ない場合であっても、家の入り口等で料金決済を可能とするシステムが提供される。
【発明を実施するための最良の形態】
【００２０】
以下、本発明の実施形態を、図面を用いて説明する。
【００２１】
（第１の実施形態）
図１は、本発明によるＩＣカード決済システムの第１の実施形態を用いた、料金支払いの決済を概念的に示す図である。本実施形態が適用される状況下では、新聞料金、テレビ受信料金等、所定の料金を集金するため、集金者が所有者宅を訪問したが、ＩＣカードの所有者が自宅にいないので、料金を徴収することができない。本実施形態のシステムを用いることにより、所有者は、外部の出先の電話から自宅の電話に接続し、本システムにおけるＩＣカードを、電話回線を通じて遠隔操作することが可能である。そして、集金者は該ＩＣカードから料金を徴収することができる。
【００２２】
家の電話と、家のエントランスに設置されたＩＣカードは所定の通信回線を通じて通信可能である。この通信回線は特に限定されず、ＬＡＮ（Local Area Network）等により構成され得る。
【００２３】
本実施形態において、ＩＣカードは所有者の家のエントランスに設置されたインターホン内に埋め込まれている。ただし、ＩＣカードの設置位置は特に限定されず、インターホンから離れた別の場所に設けることができる。例えば、郵便ポストの隣や、宅配ロッカ外部などに設けることができる。集金者など、家の外側であって、外部の人間がＩＣカードにアクセスできる場所（アクセス可能位置）に、ＩＣカードを設置することができる。
【００２４】
本発明において使用されるＩＣカードの種類は特に限定されない。例えばデータを読み書きする方式は、接触式、非接触式、ハイブリッド型、コンビネーション型等、任意の方式を採用することができる。ＩＣカードは、ＩＣカード所有者の口座とリンクしており、ＩＣカードへの所定料金（集金料金）の書き込みにより、該料金が所有者の口座から引き落とされる。
【００２５】
次に、ＩＣカードの所有者が不在の際に、集金者が所定料金の集金のために家を訪問した状況における、料金の決済を行う手順を説明する。
【００２６】
集金者は、住人の不在を確認すると、予め知っている所有者の電話（職場の電話、携帯電話等、所有者が着信可能な電話）に対し、自らの携帯電話でＩＣカード所有者に、「料金は１０００円になります。」と通話を行う（図１；ＳＴＥＰ１）。
【００２７】
この連絡を受け、ＩＣカード所有者は、現在の電話から家の電話に通話接続を行う（図１；ＳＴＥＰ２）。この通話は、家のインターホンに設置されたＩＣカードの種々の設定(ロック解除、ロック設定、料金設定等)を行う指示に相当する。
【００２８】
所有者からの指示を受けると、家の電話は、当該指示に応じ、インターホンに設置されたＩＣカードの制御を行う。まず、当該指示により、ＩＣカードのロック解除がなされ、ＩＣカードのステータスは、決済可能状態となる（図１；ＳＴＥＰ３）。
【００２９】
上述においては、ＩＣカード所有者が、集金者の電話を受けたのみで、ＩＣカードのロックを解除した。しかしながら、ＩＣカードの解除の際には、集金者が真の集金者であるか否か、言い換えると、ＩＣカードへのアクセスが許可されているか否かを認証する必要がある場合もある。この認証を行う場合、以下のような（Ａ）、（Ｂ）の如き、ＩＣカードへのアクセスが許可されている旨を示す所定の認証情報を用いた、集金者認証方法を適用することが考えられる（図１；ＳＴＥＰ３Ａ）。ただし、この認証を行うか否かは任意であり、また、（Ａ）、（Ｂ）の方法には限定されない。指紋認証、虹彩認証等の如き生体認証を採用することもできる（バイオメトリクス認証情報の採用）。
【００３０】
（Ａ）予め、ロック解除に対応した認証情報としての暗証番号を設定しておく。この暗証番号は、集金者等、ＩＣカードへのアクセスが許された特定の者のみに知らされている。そして、インターホンのボイス機能などを通じて集金者に対し、暗証番号の入力を指示する。この暗証番号を知っている真の集金者のみが、インターホンの所定の入力キーを通じて暗証番号を入力し、ＩＣカードのロックを解除することができる（暗証番号認証）。暗証番号の代わりの認証情報としてパスワードを用いたパスワード認証を採用することもできる。
【００３１】
（Ｂ）予め、ロック解除が可能なＩＣカードＲ／Ｗ（リーダライタ）を特定しておく。このようなロック解除可能なＲ／Ｗは、集金者等、ＩＣカードへのアクセスが許された特定のもののみが所有している。そして、インターホンのボイス機能などを通じて集金者に対し、自己のＲ／Ｗを特定した認証情報（Ｒ／Ｗの製品番号等）を、ＩＣカードに送るよう（インターホンの所定の場所に接近させること等により）指示する。ロック解除が可能なＲ／Ｗを所持している真の集金者のみが、ＩＣカードによるＲ／Ｗの認証により、ＩＣカードのロックを解除することができる（Ｒ／Ｗ認証）。
【００３２】
ＩＣカードのロックが解除されると、金額の精算が可能な状態となる。そして、集金者は、徴収すべき料金「１０００円」を、インターホンに設けられた入力キー等を介して入力する。そして、ＩＣカードに、後日所有者の口座から１０００円引き落とされるべき旨の情報が書き込まれる。これにより、決済が完了する（図１；ＳＴＥＰ４）。書き込みの後、解除されたＩＣカードのロックが復活し、ＩＣカードはロックされた状態（決済不可能状態）となる。ロック解除の指示は、最初の所有者からの指示に予め含まれており、決済終了と同時に自動的に行われる（図１；ＳＴＥＰ５）。
【００３３】
図２は、第１の実施形態のＩＣカード決済システム下における、決済の手順を示すシーケンス図である。
【００３４】
集金者が所有者に対し通話を行い（ステップＳ１；図１のＳＴＥＰ１に相当）、それを受け、所有者が家の電話に通話を行う（ステップＳ２；図１のＳＴＥＰ２に相当）。すると、家の電話が、所有者からの通話内容（ＩＣカードのロック解除及び１０００円の決済）を解析し（ステップＳ３ａ）、料金設定部に対し、料金の値段設定を行う（ステップＳ３ｂ）。さらに、家の電話は、ＩＣカードのロック解除要求を、制御部に対し発信する（ステップＳ３ｃ）。以上のステップＳ３ａ、ステップＳ３ｂ、ステップＳ３ｃは、図１のＳＴＥＰ３に含まれる。
【００３５】
次に、集金者からの暗証番号の入力等により、集金者の認証が開始される（ステップＳ３Ａａ）。暗証番号を受けた認証部が、集金者の認証が正しくなされたことを制御部に通知し（ステップＳ３Ａｂ）、さらに、料金設定部が、１０００円の決済を可能とするよう、制御部に指示する（ステップＳ３ｄ）。これらの通知、指示を受け、制御部は、ＩＣカードのロックを解除するとともに、支払い料金１０００円の決済を可能とするステータスの設定がＩＣカードになされる（ステップＳ３ｅ）。ステップＳ３Ａａ、ステップＳ３Ａｂは、図１のＳＴＥＰ３Ａに含まれ、ステップＳ３ｄ、ステップＳ３ｅは、図１のＳＴＥＰ３に含まれる。
【００３６】
そして、集金者が、料金１０００円の請求をＩＣカードに対し書き込み（ステップＳ４ａ）、この書き込みを受けて、決済が完了する（ステップＳ４ｂ）。ステップＳ４ａ、ステップＳ４ｂは、図１のＳＴＥＰ４に含まれる。そして、ＩＣカードが再びロックされる（ステップＳ５；図１のＳＴＥＰ５に相当）。
【００３７】
図３は、第１の実施形態におけるＩＣカード決済システムのブロック図を示す。ＩＣカード決済システムは、家の外側のエントランスに設置されたインターホン１０と、該インターホン１０と通信回線７０を介して接続され、家の内部に設置された屋内モジュール（建物内側端末）２０と、該屋内モジュール２０に通信回線６０を介して接続された家の電話３０とを備える。通信回線６０，７０は、有線通信であっても無線通信であってもよい。
【００３８】
家の電話３０は、電話回線４０を通じて外部電話５０と接続されている。ここでの外部電話５０が、図１のＳＴＥＰ１におけるＩＣカード所有者が集金者と通話し、かつ家の電話３０に通話するための電話である。もちろん、ＩＣカード所有者が集金者と通話するための電話と、家の電話３０に発信するための電話は、違うものであってもよい。
【００３９】
インターホン１０は、ＩＣカード１１と認証情報入力部１３とを備える。認証情報入力部１３は、集金者が暗証番号、パスワード等の認証情報を入力する種々のテンキーや、集金者のＲ／Ｗと認証情報のやり取りを行う通信部等から構成される。
【００４０】
屋内モジュール２０は、制御部２１と、通話解析部２３と、料金設定部２５と、認証部２７とを備える。制御部２１は、通話解析部２３、料金設定部２５、認証部２７各々から通知、指示などに対応した信号を受けて解析し、ロック解除要求、料金設定、決済処理、ロック復活要求を、インターホン１０に発行するためのものである。
【００４１】
通話解析部２３は、家の電話３０から通信回線６０を介し、所有者の指示を受信して解析する。すなわち、通話解析部２３は、決済許可を発行する所定の通信機器である電話３０と接続された決済許可部を構成する。料金設定部２５は、料金の設定、チャージ金額の合計を計算して、合計額を算出し、当該合計額が決済可能なようにＩＣカード１１のステータスを設定するよう、制御部２１に指示を出す。認証部２７は、上述した集金者の認証のため、予め定められた暗証番号、パスワード、又は特定のＲ／Ｗの特定番号と、集金者と称した者が提示した暗証番号、パスワード、又はＲ／Ｗの特定番号などに対応した認証情報が一致するかどうか判定し、集金者の認証を行う。尚、制御部２１、認証部２７、通話解析部２３は、電話３０と通知、情報のやり取りをしており、総て電話３０と通信可能に接続されている。この構成下、制御部２１への金額の設定、認証部２７との認証、通話解析部（決済許可部）２３との決済許可等、種々の所定の指令が、電話３０から、制御部２１、認証部２７、通話解析部２３各々に発行されると考えることもできる。
【００４２】
（第２の実施形態）
図４は、本発明によるＩＣカード決済システムの第２の実施形態を用いた、料金支払いの決済を概念的に示す図である。本実施形態が適用される状況下では、第１の実施形態とは異なり、集金者が所有者宅を訪問したとき、ＩＣカードの所有者は在宅中である。
【００４３】
しかしながら、所有者は、集金者と対面するため外に出ることができない、又は出ることを欲しない状況にある。このような状況とは、例えば、１）所有者が集中力を有する特定作業中である、２）所有者が病気で寝込んでいる、３）所有者が入浴中である、というような状況である。本実施形態のシステムを用いることにより、所有者は、家の内部からインターホンを通じて集金者と会話するととともに、インターホンに設置されたＩＣカードを、通信回線を通じて遠隔操作することが可能である。そして、集金者は該ＩＣカードから料金を徴収することができる。このような状況下における、料金の決済を行う手順を説明する。
【００４４】
集金者は、インターホンを通じてＩＣカード所有者に、「料金は２０００円になります。」と話しかけると（図４；ＳＴＥＰ１）、所有者は現在外に出ることができないため、ＩＣカードによる決済を行うことを集金者に告げる。
【００４５】
そして、ＩＣカード所有者は、インターホンに設置されたＩＣカードの種々の設定(ロック解除、ロック設定、料金設定等)を、家の内部に設定された所定の入力装置から入力指示する。
【００４６】
所有者からの指示を受けると、ＩＣカードのロック解除がなされ、ＩＣカードのステータスは、決済可能状態となる（図４；ＳＴＥＰ２）。
【００４７】
上述においては、通常ＩＣカード所有者が、入力装置に設けられたモニタ画面等により、集金者が真の集金者であるか否かを確認することができる。しかしながら、モニタを通じても、真の集金者であるか否かの確認が困難な場合、上述した第１実施形態における、（Ａ）、（Ｂ）の如き方法にて、集金者を認証することができる（暗証番号認証、Ｒ／Ｗ認証）。
【００４８】
ＩＣカードのロックが解除されると、金額の精算が可能な状態となる（図４；ＳＴＥＰ３）。そして、集金者は、徴収すべき料金「２０００円」を、インターホンに設けられた入力キー等を介して入力する。
【００４９】
上述した入力により、ＩＣカードに、後日所有者の口座から２０００円引き落とされるべき旨の情報が書き込まれる。これにより、決済が完了する。この後、所有者はＩＣカードのロックを復活させる入力を行い、ＩＣカードのロックが復活する（図４；ＳＴＥＰ４）。
【００５０】
図５は、第２の実施形態におけるＩＣカード決済システムのブロック図を示す。このＩＣカード決済システムは、第１実施形態のように家の電話３０とは接続されておらず、また、通話解析部２３の代わりに、設定入力部２９が設けられている。設定入力部２９は、家の中にいるＩＣカード所有者等が、自らロック解除、料金設定、決済処理、ロック復活等を入力する部分であり、テンキー等から構成されるが、音声入力形式を用いることもできる。また、所有者は、設定入力部２９を介して制御部２１、認証部２７を操作することができる。
【００５１】
また、設定入力部２９を含む屋内モジュール（建物内側端末）２０は、ＩＣチップ、特に非接触ＩＣチップを搭載した通信デバイスと通信可能に構成することができる。このような通信デバイスを含むものとして、決済機能を備えたＩＣチップ搭載携帯電話、銀行のＩＣカード等がある。このような構成により、決済がより簡易なものとなる。例えば、屋内モジュール２０にＩＣチップを搭載した通信デバイスのためのリーダライタを設けることにより、このような構成を実現することができる。
【００５２】
本発明によれば、建物にＩＣカードを設置し、該ＩＣカードを、建物に不在の決済当事者の通信機器と接続している。従って、所有者は外部（出かけ先）よりＩＣカードの制御を行い、集金者が訪問時に不在であっても、料金決済を行うことができる。
【００５３】
さらに本発明によれば、在宅の決済当事者が、例え外に出なくても、インターホン設置のＩＣカードを建物の中から直接制御し、集金者に料金を支払うことができる。
【００５４】
また、本発明のシステムは、種々の集金者認証方法をあわせて用いることにより、集金者が真の集金者であることを確認することもできるため、セキュリティ確保の点についても効果的である。
【００５５】
上述の実施形態においては、家の内側に屋内モジュール２０が設置されたが、モジュールの設置は必須要件ではなく、また、実施形態のモジュールを構成する総ての部分がモジュール化されている必要もない。
【００５６】
外部電話５０から家の電話３０に通話を行い、指示を出す際に適用される技術としては、ボタン電話のプッシュトーンをそのまま使用することができる。すなわち、プッシュトーンにおけるボタン押下パターン各々に、ロック解除、料金設定、ロック復活等の如き機能を個別に割り当てることにより、既存のボタン電話を使用することができる。例えば、「＊１」の押下でロック解除、「＊２」の押下で料金設定、「＊３」の押下でロック復活等の割り当てを予め行っておくことができる。更には、ＩＣカード所有者が有する暗証番号がボタンにより入力されて、初めて上述の操作を行うことができるような構成を採用することができる。もちろん、他の既存の技術、他の代替技術で適用可能なものを使用することもできる。
【００５７】
また、上述の実施形態において、決済許可を発行する通信機器には家の電話３０が用いられたが、他の通信機器を使用することもできる。例えば、家のパーソナルコンピュータを通話解析部２３と接続し、システムを操作することができる。さらには、外部電話５０の代わりに、パーソナルコンピュータを使用し、上述した家のパーソナルコンピュータを操作し、ひいてはシステムを操作することもできる。いずれにせよ、システムを外側から制御する態様、通信機器の種類は、特定のものに限定されることはない。
【００５８】
上述の実施形態においては、ＩＣカードは、所有者の家のインターホンに配置されているが、一般的な建物のインターホン、ドア、門、塀等に直接配置することもできる。ＩＣカードは建物において、人がアクセス可能な位置に設置されるが、直接建物の外側に取り付けられる必要性はない。例えば、集合住宅の場合は建物の中の各ドアの玄関、宅配ロッカにＩＣカードを設置することができる。上述した決済が可能であれば、ＩＣカードの配置位置は特に限定されない。
【００５９】
尚、本発明のシステムにおけるＩＣカードを宅配ロッカ、施錠機能付きポストに設置した場合、着払いの宅配荷物を受け取ることも可能となる。すなわち、ＩＣカードにより、宅配ロッカ、ポストを開錠するとともに、着払い荷物の料金を、ＩＣカードを用いて精算することができるからである。
【００６０】
以上、本発明の各種実施形態を説明したが、本発明は前記実施形態において示された事項に限定されず、明細書の記載、並びに周知の技術に基づいて、当業者がその変更・応用することも本発明の予定するところであり、保護を求める範囲に含まれる。
【産業上の利用可能性】
【００６１】
本発明によれば、不在時や、家から外に出ない場合であっても、家の入り口等で料金決済を可能とするシステムが提供される。
【図面の簡単な説明】
【００６２】
【図１】第１の実施形態のＩＣカード決済システム下における、決済の手順の概念を示す図。
【図２】第１の実施形態のＩＣカード決済システム下における、決済の手順を示すシーケンス図。
【図３】第１の実施形態のＩＣカード決済システムのブロック図。
【図４】第２の実施形態のＩＣカード決済システム下における、決済の手順の概念を示す図。
【図５】第２の実施形態のＩＣカード決済システムのブロック図。
【符号の説明】
【００６３】
１０  インターホン
１１  ＩＣカード
１３  認証情報入力部
２０  屋内モジュール
２１  制御部
２３  通話解析部
２５  料金設定部
２７  認証部
２９  設定入力部
３０  家の電話
４０  電話回線
５０  外部電話
６０  通信回線
７０  通信回線
【図１】
2006251874.tif 000003
【図２】
2006251874.tif 000004
【図３】
2006251874.tif 000005
【図４】
2006251874.tif 000006
【図５】
2006251874.tif 000007